(57)【特許請求の範囲】
【請求項１】
上部は開口されているとともに、支持部を設けた略矩形の筐体と、
前記筐体内に配設された固定接点と、
ばね性を有する導電部材で作られ、両端部をそれぞれ同方向にほぼＵ字状に曲げて第１および第２屈曲部を構成し、前記第１屈曲部が力点となる可動部とし、その端縁に前記筐体の底部上を摺動して前記固定接点上に摺接する可動接点を形成すると共に、前記第２屈曲部の端縁に前記支持部に上方から係合されて回動自在に支持される支点部を形成してなる可動接点部材と、
前記可動接点部材の第１および第２屈曲部間に形成され、前記可動接点方向に突出する曲げ部と、
前記可動部に当接して押し下げるための操作ノブ当接部を有する操作ノブと、
前記操作ノブが突出する部分を除いた前記開口部を覆う蓋体と、
前記蓋体に一体的に突設され、前記支持部とともに前記第２屈曲部を挟み込むように当接して前記支点部を揺動自在に支持する当接突起とをを備え、
前記可動接点部材の前記曲げ部によって構成されたＶ字状の傾斜面の一方の傾斜面に前記蓋体の前記当接突起が当接し、他の傾斜面に前記操作ノブ当接部が当接され、
前記操作ノブの押し下げによって前記操作ノブ当接部が前記他の傾斜面を押し下げて、前記支持部と前記当接突起によって揺動自在に支持された前記支点部を中心にして前記可動部が下降することにより、前記可動接点が前記筐体の底部上を摺動されて前記固定接点と接触あるいは非接触となることを特徴とするプッシュスイッチ装置。
【請求項２】
前記蓋体の裏面には、前記可動接点部材の前記第２屈曲部近傍を押える突起が形成されて、前記可動接点部材の可動部から付与される前記操作ノブの復帰力を増加させるようにしたことを特徴とする請求項１記載のプッシュスイッチ装置。
【発明の詳細な説明】
【０００１】
【発明の属する技術分野】
本発明はメディア検出等に使用され、可動接点のばね性を利用して操作ノブの上下動を制御するようにしたプッシュスイッチ装置に関する。
【０００２】
【従来の技術】
ばね性を有する金属で作られ、そのばね性により通常はオンあるいはオフ状態に保持される可動接点と、この可動接点のばね性を利用して操作ノブを常時上昇した状態に保持するプッシュスイッチ装置は、構造が簡単で小型化でき、操作感触に優れているため、各種の電子機器に使用されている。
【０００３】
従来のこのようなプッシュスイッチ装置としては、例えば特開平６−１６８６４５号公報、特開平８−２０３３８０号公報あるいは特開平８−３２９７７９号公報などに開示されており、これら従来例のうち特開平６−１６８６４５号公報を例にとって図６に示す。
【０００４】
図６は従来のプッシュスイッチ装置の一例を示す説明図である。
【０００５】
図６に示すように、内部底面に固定接点２２，２３を配置したほぼ升状の筐体２１と、弾性を有する導電性金属板で作られ、ほぼＵ字状に曲げて屈曲部を構成し、この屈曲部が力点となる可動部２４とした可動接点部材２５と、この可動接点部材２５の可動部２４を押圧する操作ノブ２６とを有している。可動接点部材２５はその一端部が筐体２１の側壁に係合されて支点部２７を構成し、可動接点部材２５の他端部が可動接点部２８とし可動部２４の下降にともなって図６において右方向に摺動し、固定接点２２から固定接点２３に接触するように構成されている。可動接点部材２５は、図６に示す操作ノブ２６の非押し込み状態ではそのばね性により可動部が上昇して、可動接点部２８は固定接点２３から離れて固定接点２２に接触しているとともに、操作ノブ２６も上昇されているように構成されている。
【０００６】
２９は筐体２１の内側面に形成した支持部２１ａの凹部２１ｂの底面にインサート成形された固定接点であり、この固定接点２９に可動接点部材２５の支点部２７が常接するように組み込まれている。３０は筐体２１から操作ノブ２６が離脱しないようにかつ操作ノブ２６を上下動自在に支持する蓋体である。
【０００７】
このようにプッシュスイッチ装置は、固定接点２２，２３を備えた筐体２１と可動接点部材２５と操作ノブ２６そして蓋体３０の４つの部材で構成できるため、小型化が可能でかつ操作ノブ２６の操作感触も滑らかであるという利点がある。
【０００８】
【発明が解決しようとする課題】
一方、前記従来例のプッシュスイッチ装置を組み立てる場合は、固定接点２２，２３を配置した筐体２１内に可動接点部材２５を挿入し、蓋体３０で上部を覆うという簡単な工程でよいが、筐体２１内に可動接点部材２５を挿入する際は、支持部２１ａの凹部２１ｂの底面の固定接点２９に支点部２７を接触させ、可動接点部２８を固定接点２２に接触させるように挿入しなければならず、上方向から組み込み難い欠点がある。また、操作ノブ２６や蓋体３０を取り付ける際に、不安定に筐体２１内に挿入された可動接点部材２５を移動させてしまう可能性があり、可動接点部材２５による操作ノブ２６の上昇が円滑に行われなかったり、可動接点部２８の固定接点２２から固定接点２３への切換えができなくなってしまう。極端な場合は、蓋体３０の装着時に操作ノブ２６を介して可動接点部材２５を変形させてしまう可能性もある。
【０００９】
このような欠点は、前記の特開平８−２０３３８０号公報のプッシュスイッチ装置においても同じである。また、前記の特開平８−３２９７７９号公報のプッシュスイッチ装置においては、操作レバーに可動接点部材の支点部を係止させており、操作レバーの取り付け時に可動接点部材を変形させる可能性がある。
【００１０】
本発明の第１の課題は、組み立てが簡単で、確実に可動接点部材がスイッチ動作することができるプッシュスイッチ装置を提供することである。
【００１１】
本発明の第２の課題は、可動接点部材による復帰力をアップして、操作ノブおよび可動接点部材を迅速かつ確実に復帰させることができるプッシュスイッチ装置を提供することである。
【００１２】
本発明の第３の課題は、操作ノブの上下動をロスなくほぼ垂直に行わせることができるプッシュスイッチ装置を提供することである。
【００１３】
【課題を解決するための手段】
前記第１、３の課題は、上部は開口されているとともに、支持部を設けた略矩形の筐体と、前記筐体内に配設された固定接点と、ばね性を有する導電部材で作られ、両端部をそれぞれ同方向にほぼＵ字状に曲げて第１および第２屈曲部を構成し、前記第１屈曲部が力点となる可動部とし、その端縁に前記筐体の底部上を摺動して前記固定接点上に摺接する可動接点を形成すると共に、前記第２屈曲部の端縁に前記支持部に上方から係合されて回動自在に支持される支点部を形成してなる可動接点部材と、前記可動接点部材の第１および第２屈曲部間に形成され、前記可動接点方向に突出する曲げ部と、前記可動部に当接して押し下げるための操作ノブ当接部を有する操作ノブと、前記操作ノブが突出する部分を除いた前記開口部を覆う蓋体と、前記蓋体に一体的に突設され、前記支持部とともに前記第２屈曲部を挟み込むように当接して前記支点部を揺動自在に支持する当接突起とをを備え、前記可動接点部材の前記曲げ部によって構成されたＶ字状の傾斜面の一方の傾斜面に前記蓋体の前記当接突起が当接し、他の傾斜面に前記操作ノブ当接部が当接され、前記操作ノブの押し下げによって前記操作ノブ当接部が前記他の傾斜面を押し下げて、前記支持部と前記当接突起によって揺動自在に支持された前記支点部を中心にして前記可動部が下降することにより、前記可動接点が前記筐体の底部上を摺動されて前記固定接点と接触あるいは非接触となる第１の手段により解決される。
前記第２の課題は、第１の手段において、前記蓋体の裏面には、前記可動接点部材の前記第２屈曲部近傍を押える突起が形成されて、前記可動接点部材の可動部から付与される前記操作ノブの復帰力を増加させるようにした第２の手段により解決される。
【００１４】
【発明の実施の形態】
以下、図面を参照し、本発明の実施の形態について説明する。
この実施の形態においては、それぞれ独立してオンオフ動作を行うことができる２つの操作ノブを有するプッシュスイッチ装置の場合を例に取っている。
【００１５】
図１は本発明の一実施の形態における全体構造の分解斜視図、図２は本発明の一実施の形態における支点部分を示す部分斜視図、図３は本発明の一実施の形態をオン状態で示す縦断面図、図４は図３に示す状態から操作ノブを完全に内部に押し込んだオフ状態を示す縦断面図、図５は可動接点部材の変形例を示す正面図である。
【００１６】
これらの図において、１は合成樹脂で作られ、上方が開口した略矩形の筐体で、その内部には２つの操作ノブ２，３を上下動方向の移動をガイドするようにガイドダクト４，５が立設されている。これらガイドダクト４，５は、筐体１の相対する一方の側壁１ａ，１ｂとの間に間隙を形成するように、かつガイドダクト４は筐体１の側壁１ａ，１ｂに直交する他方の側壁１ｃ，１ｄの内の側壁１ｃにその一辺が、そしてガイドダクト５は側壁１ｄにその一辺が接するように配置されている。また、ガイドダクト４の側壁１ａ側の面には、上下方向に延在するように切欠き４ａが形成され、ガイドダクト５の側壁１ｂ側の面には、同じく上下方向に延在するように切欠き４ａがそれぞれ形成されている。図３および図４に示すように、ガイドダクト４，５と側壁１ａ，１ｂ間の間隙に位置する筐体１の底部１ｅには、それぞれ固定接点６が平面状に配設されるとともに、支持突起１ｆが立設されている。なお、ガイドダクト４，５の上端は、筐体１の上面より突出するように形成されている。
【００１７】
操作ノブ２，３はそれぞれ同じ形状をしており、ここでは一方の操作ノブ２についてのみ説明し、他方の操作ノブ３は操作ノブ２と同じ構成要素には同じアルファベットを付してその説明は省略する。操作ノブ２はほぼ棒状に合成樹脂で作られ、ほぼ上半分は円柱状のノブ部２ａ，下半分は角柱状の操作部２ｂとなっている。操作部２ｂの一側面の下方には操作ノブ２の長手方向に直交する方向に張り出した当接部２ｃが形成されている。この当接部２ｃが形成された面は当接部２ｃから上昇するにしたがいとの突出量が小さなる傾斜面２ｄが形成され、ノブ部２ａと操作部２ｂの境界部においてはわずかに突出する規制部２ｅが形成されている。当接部２ｃと規制部２ｅはガイドダクト４の切欠き４ａから側壁１ｂ方向に突出するように挿入される。
【００１８】
ガイドダクト４，５と側壁１ａ，１ｂの間の各間隙には、弾性を有する導電性金属板で作られた可動接点部材７，８がそれぞれ収納されている。可動接点部材７，８はそれぞれ同じ形状をしており、ここでは一方の可動接点部材７についてのみ説明し、他方の可動接点部材８は可動接点部材７と同じ構成要素には同じアルファベットを付してその説明は省略する。可動接点部材７は、その一端側を略Ｕ字状に曲げることにより構成された屈曲部を力点となる可動部７ａとしており、他端側はほぼＵ字状に曲げることにより構成された湾曲部７ｂを有している。湾曲部７ｂ側の端縁は、一対の相対するように切り欠かくことにより形成された支点部７ｃが設けられている。可動部７ａ側の端縁部は二股に割られかつ曲げ加工などにより可動接点７ｄが形成されている。可動接点部材７の支点部７ｃは、図２に詳細に示すように、筐体１の支持突起１ｆの先端部に支持される。支持突起１ｆの先端部は、図２に詳細に示すように、二股に割れており、この二股部１ｇ間に可動接点部材７の支点部７ｃを落とし込むことにより支点部７ｃを揺動自在に支持する。可動部７ａと湾曲部７ｂ間の可動接点部材７には、支点部７ｃおよび可動接点７ｄ方向に突出するようにほぼＶ字状に曲げた曲げ部７ｅが形成されている。
【００１９】
操作ノブ５の上面は、金属あるいは合成樹脂で作られた蓋体９によって覆われている。すなわち、蓋体９は筐体１の側壁１ｃの上端部から筐体１の上面を通り側壁１ｄの上部に至る大きさに作られ、ガイドダクト４，５を突出させるためのほぼ矩形の開口９ａ，９ｂと、これら開口９ａ，９ｂの一辺のほぼ中央に形成された操作ノブ２，３の規制部２ｅ，３ｅは突出するが、傾斜面２ｄ，３ｄの上昇を規制する規制孔９ｃ，９ｄが形成されている。これにより、可動接点部材７，８により上方に付勢されている操作ノブ２，３が筐体１および蓋体９によって構成された収納空間から離脱しないようになっている。蓋体９の裏面には、可動接点部材７，８の湾曲部７ｂ，８ｂの上面に当接するように下方に突出する当接突起９ｅ，９ｆが一体的に形成されている。
【００２０】
以上のように構成されたプッシュスイッチ装置の組み立てについて説明する。最初に、ガイドダクト４，５と側壁１ａ，１ｂ間の底部１ｅに平面状に固定接点６がそれぞれ配設された筐体１の底部１ｅから突出する各支持突起１ｆの二股部７ｇ間に、可動接点部材７，８の各支点部７ｃ，８ｃを落とし込むことにより、可動接点部材７，８を揺動自在に支持する。これにより可動接点部材７，８は筐体１に確実に保持された状態になる。次に、可動接点部材７，８の各可動部７ａ，８ａ上に操作ノブ２，３の当接部２ｃ，３ｃの下面が当接するように操作ノブ２，３を落とし込む。最後に蓋体９を開口９ａ，９ｂからガイドダクト４，５がそれぞれ突出するように、かつ規制孔９ｃ，９ｄから操作ノブ２，３の規制部２ｅ，３ｅが突出するして覆うことにより組立は完了する。可動接点部材７，８は筐体１に確実に保持されているので、蓋体９の取り付け時に可動接点部材７，８が移動することはない。また、可動接点部材７，８や操作ノブ２，３は、全て筐体１の上部から組み込むことができる。
【００２１】
次に、前記のプッシュスイッチ装置の動作について説明する。なお、動作説明は一方のスイッチ部、すなわち操作ノブ３側についての説明する。
【００２２】
図３はプッシュスイッチ装置のオン状態、すなわち操作ノブ３の非押下げ状態を示しており、この図３の状態では、可動接点部材８の支点部８ｂ側は、支持突起１ｆの二股部７ｇ間に係合し、可動接点８ｄは可動接点部材８の弾力により第１固定接点６上に位置している。この状態では可動接点部材８は支点部８ｂによる係合部分を中心として反時計回り方向に回転しようとする力が作用するので、可動部８ａによって操作ノブ３は押し上げられている。操作ノブ３の押し上げは、規制部３ｅが規制孔９ｄに係合することにより所定の位置で阻止される。
【００２３】
この図３の状態から操作ノブ３を押し下げていくと、可動接点部材８は支点部８ｂを中心にして時計回り方向に回動していく。これにより可動接点部材８の可動接点４ｄは押し曲げられながら筐体１の底部１ａ上を左方向に摺動し、固定接点６から離れ、底部１ｅ上に位置することになり、可動接点８ｄと固定接点６との導通状態は解かれ、これによりこのプッシュスイッチはオフ状態になる。なお、蓋体９の裏面の当接突起９ｅが可動接点部材８の湾曲部８ｂの上面に当接しているので、反力が可動接点部材８に働き、オフ状態からオン状態への復帰力をアップさせることができ、操作ノブ３および可動接点部材８を迅速かつ確実に復帰させることができる。
【００２４】
また、この実施の形態においては、可動接点部材７，８は、それら各々の一端側を略Ｕ字状に曲げた可動部７ａ，８ａと、他端側を同じくほぼＵ字状に曲げることにより構成された湾曲部７ｂ，８ｂとの２つの曲げ部が形成されているので、これら２つの湾曲部でそれぞれ荷重を発生させることができるので、スイッチ動作に必要な荷重および復帰力を上げるための荷重を発生させることができ、各可動接点部材７，８のみで確実なスイッチ動作を行うことができるプッシュスイッチ装置を簡単な構造で提供することができる。さらに、可動接点部材７，８には、支点部７ｃ，８ｃおよび可動接点７ｄ，８ｄ方向に突出するようにほぼＶ字状に曲げた曲げ部７ｅ，８ｅが形成されており、この曲げ部７ｅ，８ｅにより操作ノブ２，３に加わる分力の方向が調整でき、操作ノブ２，３をロスなくほぼ垂直に上下動させることができる。
【００２５】
このような前記実施の形態にあっては、上部は開口された略矩形の筐体１と、筐体１内に配設された固定接点６と、ばね性を有する導電部材で作られ、両端部をそれぞれ同方向にほぼＵ字状に曲げ、その一端側を力点となる可動部７ａとしており、他端側の湾曲部７ｂの端縁に支点部７ｃを設け、可動部７ａ側の端縁に筐体１の底部１ｅ上を摺動して固定接点６上に摺接する可動接点７ｄを形成すると共に、筐体１内に立設された支持突起１ｆに上部から係合して回動自在に支持される支点部７ｃを形成した可動接点部材７と、可動部７ａを押し下げるための操作ノブ２と、操作ノブ２が突出する部分を除いた開口部を覆う蓋体９とを有し、操作ノブ２の押し下げによって支点部７ｃを中心にして可動部７ａが下降し、筐体１の底部１ｅ上を摺動して固定接点６と接触したり、非接触するので、組み立て時には、可動接点部材７の位置決めを確実に行うことができ、その位置決めも筐体１の上方から行うことができるので、組み立てが簡単であり、可動部７ａと湾曲部７ｂの２つの湾曲部でそれぞれ荷重を発生させることができるので、スイッチ動作に必要な荷重および復帰力を上げるための荷重を発生させることができる。
【００２６】
【発明の効果】
請求項１記載の発明によれば、可動接点部材の位置決めを確実に行うことができ、その位置決めも筐体の上方から行うことができるので、組み立てが簡単であり、また、２つの湾曲部でそれぞれ荷重を発生させることができるので、スイッチ動作に必要な荷重および復帰力を上げるための荷重を発生させることができ、可動接点部材のみで確実なスイッチ動作を行うことができ、さらに、可動接点部材の第１および第２屈曲部間には可動接点方向に突出する曲げ部が形成されているので、この曲げ部により操作ノブに加わる分力の方向が調整でき、操作ノブをロスなくほぼ垂直に上下動させることができる。
【００２７】
請求項２記載の発明によれば、蓋体の裏面に可動接点部材の第２屈曲部近傍を押える突起が形成されているので、反力が可動接点部材に働き、オフ状態からオン状態への復帰力をアップさせることができ、操作ノブおよび可動接点部材を迅速かつ確実に復帰させることができる。
【図面の簡単な説明】
【図１】本発明の一実施の形態における全体構造の分解斜視図である。
【図２】本発明の一実施の形態における支点部分を示す部分斜視図である。
【図３】本発明の一実施の形態をオフ状態で示す縦断面図である。
【図４】図３に示す状態から操作ノブを完全に内部に押し込んだオン状態を示す縦断面図である。
【図５】可動接点部材の変形例を示す正面図である。
【図６】従来のプッシュスイッチ装置の一例を示す説明図である。
【符号の説明】
１  筐体
１ｅ  底部
１ｆ  支持突起
１ｇ  二股部
２，３  操作ノブ
２ｃ，３ｃ  当接部
２ｅ，３ｅ  規制部
４，５  ガイドダクト
６  固定接点
７，８  可動接点部材
７ａ，８ａ  可動部
７ｂ，８ｂ  湾曲部
７ｃ，８ｃ  支点部
７ｄ，８ｄ  可動接点
７ｅ，８ｅ  曲げ部
９  蓋体
９ａ，９ｂ  開口
９ｃ，９ｄ  規制孔
９ｅ，９ｆ  当接突起
【図１】
0003767996.tif 000002
【図２】
0003767996.tif 000003
【図３】
0003767996.tif 000004
【図４】
0003767996.tif 000005
【図５】
0003767996.tif 000006
【図６】
0003767996.tif 000007